(57)【要約】【課題】マスク本体の内面に、その上縁１ａを鼻梁の左右で目の下の頬面に密着させる粘着部が設けられた衛生マスクにおいて、粘着部用の剥離シートを省略して製造コストの削減化を図る。【解決手段】左右のブランクシート３の中央隣接縁どうしを接合することにより、接合個所が前面側へ嘴状に突出するマスク本体１を備えている。ブランクシート３は剥離性に富むポリオレフィン系樹脂繊維を含む不織布で形成する。マスク本体１の内面上縁寄りには、マスク本体１の上縁１ａを鼻屋および頬面に沿って密着する粘着部１３を設ける。粘着部１３は複数個の粘着要素１４で構成する。これら粘着要素１４は互い違い状に配置することにより、マスク本体１を接合個所に沿って折り畳んだ状態において、左右のブランクシート３に設けた粘着部１３どうしが接着するのを防止する。【選択図】        図１
2004313397.tif 000002
【特許請求の範囲】
【請求項１】
鼻および口を含む顔面の下半部外面を覆うマスク本体１が、ブランクシート３の中央部分を接合して、接合個所が前面側へ嘴状に突出形成されている衛生マスクであって、
前記接合個所を折目にしてマスク本体１を偏平に折り畳んだ状態において、ブランクシート３の対向面のそれぞれに、マスク本体１の少なくとも周縁一部を顔面に密着させる粘着部１３が互い違い状に設けられており、
ブランクシート３が、粘着部１３に対して繰り返し剥離できる不織布を素材にして形成されていることを特徴とする衛生マスク。
【請求項２】
ブランクシート３が、剥離性に富むポリオレフィン系樹脂繊維を含む不織布で形成されている請求項１記載の衛生マスク。
【請求項３】
ブランクシート３の全面に、剥離性を向上するエンボス加工を施してある請求項１または２記載の衛生マスク。
【請求項４】
ブランクシート３のシート面の少なくとも一部にシリコンオイルを塗布して剥離部１８が形成されており、
剥離部１８に粘着部１３が形成してある請求項１または２記載の衛生マスク。
【請求項５】
粘着部１３が、ホットメルト感圧粘着剤を塗布して形成した複数個の粘着要素１４で構成してある請求項１〜４のいずれかに記載の衛生マスク。
【請求項６】
マスク本体１の左右両側に装着体２が設けられており、
鼻屋に隣接する目の下の頬面と対向するマスク本体１の内面に、粘着部１３が形成されており、
粘着部１３を肌面に接着することにより、マスク本体１の上縁１ａを鼻屋および目の下の頬面に密着できる請求項１記載の衛生マスク。
【発明の詳細な説明】
【０００１】
【発明の属する技術分野】
本発明は、花粉に代表されるアレルゲンの侵入を防ぎ、あるいは唾液飛沫などが周囲に飛ぶのを防ぐための衛生マスクに関する。
【０００２】
【従来の技術】
本発明に関して、粘着剤を使用してマスク本体を顔面に密着させ、鼻梁を横切るマスク本体の上縁左右に隙間が形成されるのを防ぐことは公知である（特許文献１参照）。そこでは、マスク本体の内面周縁に沿って、高粘弾性の粘着剤を配置し、マスク本体の周縁全体を顔面に接着して密着させている。その粘着剤としては、アクリル酸化物やゼラチンなどの高含水性のジェルが挙げられている。
【０００３】
マスク本体の外面に鼻腔を拡張させる弾性片が設けられたマスクにおいて、マスク本体の内面に粘着剤を配置して、先の弾性片を左右の鼻屋と頬面とに密着させるようにしたマスクも提案されている（特許文献２参照）。このマスクにおける粘着剤としては、両面粘着テープが用いられている。本発明のマスクはマスク本体を嘴状に構成するが、この種の立体構造のマスク構造はは公知である（特許文献３参照）。
【０００４】
【特許文献１】
特開平１１−１２８３７８号公報（段落番号００１０、図１）
【特許文献２】
特開平１１−３３１３２号公報（段落番号００１８、図３）
【特許文献３】
特開平７−２７５３８４号公報（段落番号００１１、図１）
【０００５】
【発明が解決しようとする課題】
粘着剤を用いてマスク本体の周縁を顔面に密着する特許文献１のマスクにおいては、高含水性のジェルを粘着材にしてマスク本体を顔面に接着するので、鼻梁の左右に隙間が生じることはない。しかし、ユーザーの手に渡るまでの間、粘着剤の外面を剥離シートで覆っておく必要があり、粘着剤の使用量が多いこともあって、マスク全体の製作コストが高く付く。顔に施した化粧材が粘着材に付着してはがれてしまうおそれがあり、化粧を施した状態でのマスクの使用がためらわれる。
【０００６】
粘着剤を用いてマスク本体の上縁内面を鼻梁に沿って密着する特許文献２のマスクは、結果的に鼻梁両側の隙間を防いで、アレルゲンなどの異物が吸気に含まれるのを防止できる。しかし、自由状態へ復帰しようとする弾性片の弾性に抗して、マスク本体を両面粘着テープで頬面に止め付ける必要があるので、高強度の接着力を備えた両面粘着テープを使用しなければならず、両面粘着テープの接着皮膚面において強い違和感が生じるのを避けられない。そのため、マスクを長時間にわたって連続使用するような場合にストレスを受けやすい。既製品の両面粘着テープではマスク本体に貼り付けるのに手間が掛かる不利もある。
【０００７】
本発明の目的は、マスク本体の周縁を粘着部で顔面に密着させて隙間をなくし、外気に含まれるアレルゲンの侵入を確実に防止できる高機能の衛生マスクでありながら、剥離シートを使用する必要もなくマスクを折り畳んだ状態で流通できるようにして、その分だけ製作コストの低減化を図ることにある。本発明の他の目的は、より簡単な構造でマスク本体を鼻屋および頬面に確実に、しかも違和感なく密着保持でき、従って、マスクを長時間にわたって連続使用する場合にも、痛みや不快感を伴うことがない肌にやさしい衛生マスクを提供することにある。
【０００８】
【課題を解決するための手段】
本発明の衛生マスクは、例えば図１に示すように、鼻および口を含む顔面の下半部外面を覆うマスク本体１が、ブランクシート３の中央部分を接合して、接合個所が前面側へ嘴状に突出形成されている。前記接合個所を折目にしてマスク本体１を偏平に折り畳んだ状態において、ブランクシート３の対向面のそれぞれに、マスク本体１の少なくとも周縁一部を顔面に密着させる粘着部１３が互い違い状に設けられている。ブランクシート３が、粘着部１３に対して繰り返し剥離できる不織布を素材にして形成されている（請求項１）。
【０００９】
ブランクシート３は、剥離性に富むポリオレフィン系樹脂繊維を含む不織布で形成できる。ポリオレフィン系樹脂繊維を含む不織布としては、ポリエチレン樹脂繊維、ポリプロピレン樹脂繊維のいずれかひとつ含む不織布や、複合芯鞘繊維を素材とする不織布、あるいは積層複合不織布などがある。複合芯鞘繊維としては、ポリエステル−ポリエチレン芯鞘繊維、ポリプロピレン−ポリエチレン芯鞘繊維などがある。積層複合不織布としては、綿とポリエチレンの積層不織布、レーヨンとポリエチレンの積層不織布、綿とポリプロピレンの積層不織布などがある（請求項２）。
【００１０】
ブランクシート３の全面に、剥離性を向上するエンボス加工を施す（請求項３）。ブランクシート３のシート面の少なくとも一部にシリコンオイルを塗布して剥離部１８を形成し、剥離部１８に粘着部１３を形成する（請求項４）。
【００１１】
粘着部１３は、ホットメルト感圧粘着剤を塗布して形成した複数個の粘着要素１４で構成することができる（請求項５）。
【００１２】
マスク本体１の左右両側には装着体２を設け、鼻屋に隣接する目の下の頬面と対向するマスク本体１の内面に、粘着部１３を形成し、粘着部１３を肌面に接着することにより、マスク本体１の上縁１ａを鼻屋および目の下の頬面に密着する形態を採ることができる（請求項６）。
【００１３】
【発明の作用効果】
本発明の衛生マスクは、接合個所が前面側へ嘴状に突出するマスク本体１の内面に粘着部１３を設け、マスク本体１の周縁を粘着部１３で顔面に密着させて隙間をなくことにより、外気に含まれるアレルゲンの侵入を確実に防止できるようにした。そのうえで、ブランクシート３の対向面に粘着部１３をそれぞれ互い違い状に設けて、マスク本体１を偏平に折り畳んだ状態において、左右のブランクシート３の粘着部１３どうしが互いに接着するのを防止した。さらに、粘着部１３に対して繰り返し剥離できる不織布を素材にしてブランクシート３を形成した。従って、本発明によれば、アレルゲンの侵入を阻止できる高機能の衛生マスクでありながら、剥離シートを使用する必要もなくマスク本体１を折り畳んだ状態で販売でき、剥離シートを省略した分だけ衛生マスクを低コストで製造できる。使用時に剥離シートを除去する手間も省ける（請求項１）。
【００１４】
ポリオレフィン系樹脂繊維を含む不織布で形成したブランクシート３によれば、マスク本体１を折り畳んだ状態において、粘着部１３が対向するブランクシート３と接着していても、マスク本体１を拡開操作するだけで、ブランクシート３を粘着部１３から確実に剥離できるうえ、粘着部１３に不織布の構成繊維が付着するのを防いで、粘着部１３を肌面に対して確実に接着できる。なかでも、ポリエチレン樹脂繊維、ポリプロピレン樹脂繊維などのオレフィン系樹脂の単繊維を素材とする不織布でブランクシート３を形成すると、不織布の素材コストが少なくて済む分だけ衛生マスクを低コストで製造できる（請求項２）。
【００１５】
ブランクシート３の形成素材を、剥離性に富む不織布で形成することに加えて、ブランクシート３の全面に剥離性を向上するエンボス加工を施した衛生マスクによれば、マスク本体１を折り畳んだ状態における粘着部１３とブランクシート３との接触面積を小さくして両者間の接着強度を減少できるので、ブランクシート３の剥離抵抗をさらに軽減して、マスク本体１の拡開操作がさらに容易に行えるものになる（請求項３）。
【００１６】
ブランクシート３のシート面の少なくとも一部にシリコンオイルを塗布して剥離部１８を形成し、この剥離部１８に粘着部１３を形成した衛生マスクによれば、粘着部１３を形成する個所に限って剥離部１８を設ければよいので、剥離部１８の無駄がなく、マスク本体１をさらに低コストで形成できる（請求項４）。
【００１７】
ホットメルト感圧粘着剤を塗布して形成した複数個の粘着要素１４で粘着部１３を構成すると、左右のブランクシート３における粘着部３の位置の違いを可能な限り小さくできるので、例えば、マスク本体１の上縁左右を均等に肌面に接着できる。ホットメルト感圧粘着剤を塗布することにより粘着部１３を形成すると、マスク本体１の製造過程で粘着部１３を簡単に形成できるうえ、マスク本体１を肌に密着させるための接着構造を最小限のコストで形成して、衛生マスクを安価に製造できる。粘着要素１４を形成する過程で、過熱溶融したホットメルト感圧粘着剤がマスク本体１の繊維間に染み込んで固化するので、粘着要素１４をマスク本体１に対して確実に一体化できるうえ、マスク本体１に対する粘着部１３の固定構造を省略できる分だけ衛生マスクの製造コストを削減できる（請求項５）。
【００１８】
鼻屋に隣接する目の下の頬面と対向するマスク本体１の内面に粘着部１３が形成された衛生マスクのよれば、粘着部１３を肌面に接着することにより、顔面から浮き離れようとするマスク本体１の上縁１ａを、粘着部１３によって鼻屋と目の下の頬面に沿って効果的に密着させることができるので、粘着部１３を構成する粘着剤の使用量を最小限化して、粘着部１３をさらに低コストで形成できる。粘着剤１３による接着個所が顔面の一部に限られるので、マスク使用時に粘着剤１３が肌に接着することに伴う違和感を著しく軽減できる。従って、マスクを長時間にわたって連続使用する場合にも、痛みや不快感を伴うことがない肌にやさしい衛生マスクが得られる（請求項６）。
【００１９】
【実施例】
図１ないし図３は本発明に係る衛生マスクの実施例を示す。図２において衛生マスクは、マスク本体１と、マスク本体１の左右両側に設けられる装着体２とを含む。図３においてマスク本体１は銀杏葉状に形成した左右一対のブランクシート３を接合して形成する。ブランクシート３は、通気性と熱可塑性を有する非伸縮性の不織布を銀杏葉状に裁断して形成する。ブランクシート３は、垂直の側縁４と、側縁４と対向する上下に長い湾曲縁５と、これら両者４・５を繋ぐ上縁６および下縁７とを備えている。上縁６は側縁４に向かって下り傾斜する緩やかな湾曲線で形成し、下縁７は側縁４に向かって登り傾斜する緩やかな湾曲線で形成してある。
【００２０】
後述するように、ブランクシート３を粘着部１３に対して簡単に剥離できるようにするために、ブランクシート３は剥離性に富む不織布で形成する。具体的には、ポリエチレン樹脂繊維、ポリプロピレン樹脂繊維などのポリオレフィン系の単繊維を素材とする不織布や、複合芯鞘繊維を素材とする不織布、あるいは積層複合不織布などで形成することができる。複合芯鞘繊維としては、ポリエステル−ポリエチレン芯鞘繊維、ポリプロピレン−ポリエチレン芯鞘繊維などを適用できる。積層複合不織布としては、綿とポリエチレンの積層不織布、レーヨンとポリエチレンの積層不織布、綿とポリプロピレンの積層不織布などを適用できる。この実施例では、不織布これ自体の剥離性に加えて、不織布にエンボス加工を施すことによっても、ブランクシート３の粘着部１３に対する剥離機性をさらに向上できるようにした。
【００２１】
２枚のブランクシート３を重ねたうえで、両者の湾曲縁５どうしを熱溶着して一体化する。一体化した２枚のブランクシート３を左右に拡げると、接合個所（熱溶着個所）が前面側へ嘴状に突出したマスク本体１が得られる。図１に示すようにマスク本体１の上縁１ａは山形に、下縁１ｂは傾斜が緩やかなＶ字状になっている。
【００２２】
装着体２は、伸縮性に富む不織布を舌片状に裁断して形成してあり、その一側に垂直の側縁１０を有し、舌片状のシート面にへ字状の切込１１を形成してなる。装着体２の側縁１０をブランクシート３の側縁４の内面に重ねて、両者を熱溶着することにより、装着体２をマスク本体１と一体化させる。図１に示すように、嘴状に広げたマスク本体１で、鼻および口を含む顔面の下半部外面を覆ったうえで、装着体２の切込１１を拡げて耳に掛け止めることにより、マスク本体１の装着状態を維持できる。
【００２３】
上記の装着状態においてマスク本体１の上縁１ａは、鼻梁の上部から左右の鼻屋を経て両頬へ向かって連続するが、鼻梁の左右においてマスク本体１の上縁１ａが目の下の頬面から浮き離れ、左右の鼻屋と頬面とマスク本体１とによって三角形状の隙間が形成されることがある。この隙間を解消するためにマスク本体１の内面左右に粘着部１３を設ける。詳しくは、鼻屋に隣接する左右の頬面と対向するマスク本体１の内面で、上縁１ａの近傍にホットメルト感圧粘着剤を塗布して、左右一対の粘着部１３を形成している。
【００２４】
マスク本体１は、図３に示すように、左右のブランクシート３を先の接合個所に沿って折り畳んだ状態で販売される。この折り畳み状態において左右のブランクシート３の粘着部１３どうしが接着するのを防ぐために、各ブランクシート３における粘着部１３が互い違い状に設けられている。この実施例では、各ブランクシート３における粘着部１３は、それぞれマスク本体１の上縁１ａに沿って平行に配置した３〜４個の粘着要素１４で点列状に形成したうえで、図１に符号ｂ１〜ｂ７で示すように、各ブランクシート３における粘着要素１４の接合個所からの左右方向距離ｂｎが、個々の粘着要素１４ごとに異なるようにした。
【００２５】
粘着部１３を形成するホットメルト感圧粘着剤は、熱可塑性ポリマーをベースにした、溶剤や水を含まない接着性混合物からなる。ブランクシート３どうしを溶着する前段工程において、自動塗布機によって加熱溶融したホットメルト感圧粘着剤をブランクシート３に塗布して粘着部１３を形成するので、例えば両面粘着テープで粘着部を形成する場合に比べて、粘着部１３の形成コストを著しく削減できる。塗布されたホットメルト感圧粘着剤の一部は、ブランクシート３の繊維間に染み込むので、粘着部１３がブランクシート３から剥離することはない。
【００２６】
先に説明したように、マスク本体１を顔面に装着したのち、マスク本体１の外面側から粘着部１３を頬面に押し付けることにより、図２に示すように、マスク本体１の上縁１ａを鼻屋および頬面に密着させて、鼻梁の左右において隙間が生じるのを確実に防止できる。従って、外気に含まれるアレルゲンが先の隙間からマスク内へ侵入するのを確実に防止できる。呼気によって眼鏡が曇ることもない。局部的に形成した粘着部１３でマスク本体１の上縁１ａを頬面に接着するので、従来のマスクに比べて、マスク全体の製作コストを削減化できる。また、粘着部１３による接着個所がマスク本体１の上縁１ａのみに限定されるので、従来のマスクに比べて、装着時の違和感を著しく軽減できる。従って、マスクを長時間にわたって連続使用する場合にも、痛みや不快感を伴うことがない。化粧を施した状態であっても、マスクを問題なく使用できる。
【００２７】
衛生マスクは、マスク本体１を接合個所に沿って折り畳んだ状態で販売されるが、この折り畳み状態における粘着要素１４は、対向するブランクシート３に設けられた粘着要素１４間のシート面に接触する。従って、各ブランクシート３に設けた粘着部１３どうしが互いに接着し合うことはなく、マスク本体１に粘着部１３が設けてあるにもかかわらず剥離シートを用いる必要がない分だけ衛生マスクを安価に提供できる。
【００２８】
図４は本発明に係る衛生マスクの変形例を示す。そこでは、マスク本体１を折り畳んだ状態において、左右の粘着部１３どうしが接着するのを防ぐために、粘着要素１４をマスク本体１の上縁１ａに沿って帯状に形成したうえで、各ブランクシート３における粘着要素１４が互い違いになるように上下多段状に形成した。換言すると、マスク本体１の上縁１ａから個々の粘着要素１４までの距離が異なるようにした。他は先の実施例と同じであるので、同じ部材に同じ符号を付してその説明を省略する。
【００２９】
図５は本発明に係る衛生マスクの別変形例を示す。そこでは、ブランクシート３の内面上縁部分に限ってシリコンオイルを塗布して帯状の剥離部１８を形成し、この剥離部１８に粘着部１３を形成した。粘着部１３は図１と同様の３〜４個の粘着要素１４で形成した。このように、少なくとも粘着部１３が設けられる粘着部分にシリコンオイルを塗布して剥離部１８を形成することができる。
【００３０】
図６は本発明に係る衛生マスクのさらに異なる別の変形例を示す。そこでは、装着体２を省略して、マスク本体１を粘着部１３のみで顔面に接着できるようにした。そのために、粘着要素１４を左右のブランクシート３の内面周縁に沿う多数個所に配置して、マスク本体１の周縁全体を顔面に接着できるようにした。この実施例における粘着要素１４も、先の実施例と同様に、マスク本体１を折り畳んだ状態において、左右のブランクシート３に形成した粘着部１３どうしが接着するのを避けるために、左右の粘着要素１４群が互い違いになるように配されている。
【００３１】
上記の実施例では、ブランクシート３と装着体２との固定、および左右のブランクシート３どうしの固定を、それぞれ熱溶着法によって行うが、これらの固定処理はホットメルト接着剤を用いて行うことができる。ホットメルト接着剤は、先に説明したホットメルト感圧粘着剤と同様に、熱可塑性ポリマーをベースにした、溶剤や水を含まない接着性混合物であるが、接着対象どうしを接着して固化した後には、ホットメルト接着剤と接着対象、あるいは接着対象どうしを分離できない点がホットメルト感圧粘着剤と異なっており、ポリオレフィン系樹脂を素材とする不織布に対する接着性にも優れている。
【００３２】
上記のようにホットメルト接着剤を用いて、ブランクシート３と装着体２との固定、および左右のブランクシート３どうしの固定を行い、さらに粘着部１３をホットメルト感圧粘着剤で形成すると、一連のマスク製造過程をホットメルト接着剤とホットメルト感圧粘着剤とを用いた、同種の接着処理のみで行えるので、マスクの製造過程に熱溶着工程と粘着部１３の形成工程とが混在する場合に比べて、衛生マスクをさらに能率よく、従って、低コストで製造できる。ブランクシート３などを接着によって固定するので、装着体２やブランクシート３を形成する不織布の樹脂繊維は、熱可塑性を備えている必要がなく、少なくとも剥離性を備えていることで足りる。
【００３３】
上記のように、ホットメルト接着剤を用いて各マスクパーツの固定と粘着部１３の形成を行う衛生マスクは、以下の製造方法で製造できる。
予め形成されたブランクシート３と装着体２とをホットメルト接着剤を介して接着固定する工程と、
ブランクシート３の所定個所にホットメルト感圧粘着剤を塗布して粘着部１３を形成する工程と、
左右のブランクシート３どうしを、ホットメルト接着剤を介して接着固定してマスク本体１を形成する工程を含む衛生マスクの製造方法。
【００３４】
上記以外に装着体２は、ゴム紐や、後頭部で結ばれる紐で形成してもよい。マスク本体１は１枚のブランクシートで嘴状に形成することができる。その場合には、ブランクシートの中央上部にＶ字状の切込を形成しておき、切込で区分される左右のブランクシートの切込縁どうしを溶着して、前面が嘴状に突出するマスク本体１を形成する。
【００３５】
粘着部１３は複数の粘着要素１４で形成することが好ましいが、必要があれば１個の粘着要素１４で形成してもよい。粘着要素１４は円形、矩形、リング状など必要に応じて任意の形状に形成することができる。粘着部１３の形成位置は、鼻梁を除く鼻屋および頬面と対向するマスク本体１の内面の任意位置に形成してあればよいが、鼻屋と頬面の隣接部分に近く、さらにマスク本体１の上縁１ａに近いほど上縁１ａを効果的に肌に密着させることができる。必要があれば左右の粘着部１６を一続きのものとして連続形成してもよい。
【図面の簡単な説明】
【図１】マスク本体を拡げた状態の背面図
【図２】マスクの使用状態を示す正面図
【図３】マスク本体を偏平に折り畳んだ状態の一部破断側面図
【図４】粘着部の変形例を示す要部背面図
【図５】粘着部の別変形例を示す要部背面図
【図６】粘着部のさらに異なる別の変形例を示す一部破断正面図
【符号の説明】
１  マスク本体
１ａ  マスク本体の上縁
３  ブランクシート
１３  粘着部
１４  粘着要素
【図１】
2004313397.tif 000003
【図２】
2004313397.tif 000004
【図３】
2004313397.tif 000005
【図４】
2004313397.tif 000006
【図５】
2004313397.tif 000007
【図６】
2004313397.tif 000008